(57)【要約】【課題】数値データを電子カルテに入力した後の数値データの編集作業における入力効率を向上させる。【解決手段】電子カルテ作成装置では、電子カルテ画面１３２上に表示される数値項目毎に、数値項目に対応する数値データ、当該数値項目に対応する入力パッドを表示させるための表示設定データ、電子カルテ画面１３２上の当該数値項目の表示領域を示す領域データが記憶されている。電子カルテ画面１３２上で血圧表示領域６１がクリックされると、血圧に対応する数値データを入力するための入力パッド２００Ａが表示される。入力パッド２００Ａにおいて、入力内容表示欄２０１の第１数値部５１及び第２数値部５２に数値データが入力されると、電子カルテ画面１３２上の血圧の数値データの表示が変更される。【選択図】図１２
2016218646.tif 000002
【特許請求の範囲】
【請求項１】
表示手段に表示された電子カルテ画面上で編集領域を指定するための指定手段と、
前記指定された編集領域が数値項目の表示領域であるか否かを判断する判断手段と、
前記指定された編集領域が数値項目の表示領域である場合に、当該数値項目に対応する数値データを入力するための入力パッドを前記表示手段に表示させ、前記入力パッドにおいて入力された数値データに基づいて、前記電子カルテ画面上の表示を変更する表示制御手段と、
を備える電子カルテ作成装置。
【請求項２】
前記電子カルテ画面上に表示される数値項目毎に、当該数値項目に対応する数値データ、当該数値項目に対応する入力パッドを表示させるための表示設定データ、前記電子カルテ画面上の当該数値項目の表示領域を示す領域データを記憶する記憶手段を備え、
前記判断手段は、前記記憶手段に記憶されている各領域データに基づいて、前記指定された編集領域が当該領域データに対応する数値項目の表示領域であるか否かを判断し、
前記表示制御手段は、前記指定された編集領域が前記各領域データのいずれかに対応する数値項目の表示領域である場合に、当該数値項目に対応する表示設定データに基づいて、当該数値項目に対応する入力パッドを前記表示手段に表示させる請求項１に記載の電子カルテ作成装置。
【請求項３】
前記表示設定データには、当該表示設定データに対応する数値項目の項目名、単位、数値データの挿入位置又は数値データの桁数が含まれる請求項２に記載の電子カルテ作成装置。
【請求項４】
前記電子カルテ画面上に表示される数値項目毎に、当該数値項目に対応する表示設定データを登録する登録手段を備える請求項２又は３に記載の電子カルテ作成装置。
【発明の詳細な説明】
【技術分野】
【０００１】
本発明は、電子カルテ作成装置に関する。
【背景技術】
【０００２】
近年、医療施設において電子カルテが普及しつつある。電子カルテは、紙のカルテに記載されていた患者の病状や処方等の情報を電子化して保存・管理するものである。電子カルテには、Ｓ（Subjective：患者の訴え等の主観的情報）、Ｏ（Objective：検査結果、検査画像等の客観的情報）、Ａ（Assessment：医師の診断・評価）、Ｐ（Plan：治療方針・計画）の４項目に分類されたＳＯＡＰ欄や、患者に対する処方、処置等を入力する処方・処置欄等が含まれる。
【０００３】
電子カルテに対する入力補助機能として、電子カルテに直接文章を入力する手間を省くために、予め用意されている文例を挿入する機能が用いられている。文例を挿入する際の文例の体裁を壊さないようにするために、例えば、受診者に関する情報として入力領域に挿入する文例に改行コードが含まれる場合に、文例を挿入する挿入位置に基づいて、改行コードの後ろに空白領域を挿入する電子カルテ情報記録装置が提案されている（特許文献１参照）。
【０００４】
また、電子カルテにおいて血圧や体温等の数値を入力する際には、通常、項目名や単位を含む定型フォーマットが用意されており、その定型フォーマットの数値部分のみを入力するようになっている。具体的には、項目名や単位が予め登録されている数値項目毎の入力パッドを用いて数値のみを入力し、入力された数値を項目名や単位とともに電子カルテに貼り付ける機能が利用されている。
【先行技術文献】
【特許文献】
【０００５】
【特許文献１】特開２０１０−２１１４８８号公報
【発明の概要】
【発明が解決しようとする課題】
【０００６】
しかしながら、入力パッドを用いて入力された数値データが一旦電子カルテ上に反映されると、この数値データは項目名や単位と混在した形でテキストデータとして保存されることになる。そのため、数値データを入力した後に数値部分を編集したい場合には、電子カルテ上の数値部分にカーソルを合わせ、数値部分を直接編集しなければならず、編集時の入力効率が悪かった。
【０００７】
本発明は、上記の従来技術における問題に鑑みてなされたものであって、数値データを電子カルテに入力した後の数値データの編集作業における入力効率を向上させることを課題とする。
【課題を解決するための手段】
【０００８】
上記課題を解決するために、請求項１に記載の発明は、表示手段に表示された電子カルテ画面上で編集領域を指定するための指定手段と、前記指定された編集領域が数値項目の表示領域であるか否かを判断する判断手段と、前記指定された編集領域が数値項目の表示領域である場合に、当該数値項目に対応する数値データを入力するための入力パッドを前記表示手段に表示させ、前記入力パッドにおいて入力された数値データに基づいて、前記電子カルテ画面上の表示を変更する表示制御手段と、を備える電子カルテ作成装置である。
【０００９】
請求項２に記載の発明は、請求項１に記載の電子カルテ作成装置において、前記電子カルテ画面上に表示される数値項目毎に、当該数値項目に対応する数値データ、当該数値項目に対応する入力パッドを表示させるための表示設定データ、前記電子カルテ画面上の当該数値項目の表示領域を示す領域データを記憶する記憶手段を備え、前記判断手段は、前記記憶手段に記憶されている各領域データに基づいて、前記指定された編集領域が当該領域データに対応する数値項目の表示領域であるか否かを判断し、前記表示制御手段は、前記指定された編集領域が前記各領域データのいずれかに対応する数値項目の表示領域である場合に、当該数値項目に対応する表示設定データに基づいて、当該数値項目に対応する入力パッドを前記表示手段に表示させる。
【００１０】
請求項３に記載の発明は、請求項２に記載の電子カルテ作成装置において、前記表示設定データには、当該表示設定データに対応する数値項目の項目名、単位、数値データの挿入位置又は数値データの桁数が含まれる。
【００１１】
請求項４に記載の発明は、請求項２又は３に記載の電子カルテ作成装置において、前記電子カルテ画面上に表示される数値項目毎に、当該数値項目に対応する表示設定データを登録する登録手段を備える。
【発明の効果】
【００１２】
本発明によれば、数値データを電子カルテに入力した後の数値データの編集作業における入力効率を向上させることができる。
【図面の簡単な説明】
【００１３】
【図１】電子カルテ作成装置の機能的構成を示すブロック図である。
【図２】カルテ情報のデータ構成例を示す図である。
【図３】入力項目設定情報登録処理を示すフローチャートである。
【図４】入力項目設定画面の表示例である。
【図５】電子カルテ作成処理を示すフローチャートである。
【図６】電子カルテ画面の表示例である。
【図７】入力項目選択画面の表示例である。
【図８】血圧入力専用の入力パッドの例である。
【図９】体温入力専用の入力パッドの例である。
【図１０】ＳｐＯ２入力専用の入力パッドの例である。
【図１１】入力済みの数値データを編集する際の操作を説明するための図である。
【図１２】数値データの編集時に表示される血圧入力専用の入力パッドの例である。
【発明を実施するための形態】
【００１４】
以下、本発明に係る電子カルテ作成装置の実施の形態について説明する。なお、本発明は、図示例に限定されるものではない。
【００１５】
図１に、電子カルテ作成装置１０の機能的構成を示す。
図１に示すように、電子カルテ作成装置１０は、制御部１１、操作部１２、表示部１３、通信部１４、ＲＡＭ１５、記憶部１６等を備えて構成されており、各部はバス１７により接続されている。以下、電子カルテ作成装置１０が一般的なＰＣ（Personal Computer）により構成される場合について説明するが、スマートフォンやタブレット型端末等のモバイル通信機器であってもよい。また、クラウド環境を想定したＷＥＢサービスとして提供されるものであってもよい。
【００１６】
制御部１１は、ＣＰＵ（Central Processing Unit）等から構成され、電子カルテ作成装置１０の各部の処理動作を統括的に制御する。具体的には、ＣＰＵは、操作部１２から入力される操作信号又は通信部１４により受信される指示信号に応じて、記憶部１６に記憶されている各種処理プログラムを読み出してＲＡＭ１５に展開し、当該プログラムとの協働により各種処理を行う。
【００１７】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。例えば、操作部１２は、表示部１３に表示された電子カルテ画面上で編集領域を指定する際に用いられる。すなわち、操作部１２は、指定手段として機能する。
【００１８】
表示部１３は、ＬＣＤ（Liquid Crystal Display）等のモニターを備えて構成されており、制御部１１から入力される表示信号の指示に従って、各種画面を表示する。
【００１９】
通信部１４は、ネットワークインターフェース等により構成され、通信ネットワークを介して接続された外部機器との間でデータの送受信を行う。
【００２０】
ＲＡＭ１５は、制御部１１により実行制御される各種処理において、記憶部１６から読み出された各種プログラム、入力若しくは出力データ、及びパラメーター等を一時的に記憶するワークエリアを形成する。
【００２１】
記憶部１６は、ＨＤＤ（Hard Disk Drive）や不揮発性メモリー等により構成され、各種処理プログラム、当該プログラムの実行に必要なパラメーターやファイル等を記憶している。具体的に、記憶部１６には、入力項目設定情報登録プログラムＰ１、電子カルテ作成プログラムＰ２、入力項目設定情報Ｄ１、カルテ情報Ｄ２等が記憶されている。
【００２２】
入力項目設定情報登録プログラムＰ１は、入力項目設定情報Ｄ１を登録・修正する機能を実現させるためのプログラムである。
電子カルテ作成プログラムＰ２は、カルテ情報Ｄ２を作成・編集する機能を実現させるためのプログラムである。
【００２３】
入力項目設定情報Ｄ１は、入力項目選択画面（図７参照）において選択対象候補となる数値項目と、各数値項目に対応する表示設定データと、を含む。表示設定データは、数値項目の項目名、単位、数値データの挿入位置、数値データの桁数（整数桁数、小数点以下桁数）を含む。また、数値項目に対して複数の数値データ（例えば、数値項目「血圧」に対する「収縮期血圧（最高血圧）」、「拡張期血圧（最低血圧）」等）を入力する場合には、表示設定データは、各数値データに対応する数値名を含む。
また、入力項目設定情報Ｄ１は、各数値項目をフォルダー単位で分類して階層構造をとることができる。
【００２４】
カルテ情報Ｄ２は、医療施設における患者の診療の経過を示す情報であり、患者毎、日付毎に作成される。図２に、カルテ情報Ｄ２のデータ構成例を示す。カルテ情報Ｄ２は、Ｓ（Subjective：患者の訴え等の主観的情報）、Ｏ（Objective：検査結果、検査画像等の客観的情報）、Ａ（Assessment：医師の診断・評価）、Ｐ（Plan：治療方針・計画）の分類項目毎に、数値項目データ、テキストデータを含む。
【００２５】
数値項目データは、血圧、体温、ＳｐＯ２、心拍数等の数値項目毎の情報である。数値項目データは、数値項目に対応する数値データ、当該数値項目に対応する入力パッドを表示させるための表示設定データ、電子カルテ画面上の当該数値項目の表示領域を示す領域データを含む。入力パッドは、数値データを入力する際に表示される入力専用画面であり、数値項目毎に用意される。領域データは、電子カルテ画面における座標や、電子カルテ画面内の所定位置から何文字目等の情報を含む。
【００２６】
テキストデータは、電子カルテ画面上において、キーボード等から直接入力されたデータ、又は、定型文を選択することにより入力されたデータである。
【００２７】
制御部１１は、入力項目設定情報登録プログラムＰ１との協働により、電子カルテ画面上に表示される数値項目毎に、当該数値項目に対応する表示設定データを登録する。具体的には、制御部１１は、入力項目設定情報Ｄ１に含まれる数値項目毎、又は、入力項目設定情報Ｄ１に新規に追加する数値項目毎に、各数値項目に対応する表示設定データを登録する。すなわち、制御部１１は、登録手段として機能する。
【００２８】
制御部１１は、電子カルテ作成プログラムＰ２との協働により、操作部１２により指定された編集領域が数値項目の表示領域であるか否かを判断する。具体的には、制御部１１は、記憶部１６に記憶されている各領域データに基づいて、指定された編集領域が当該領域データに対応する数値項目の表示領域であるか否かを判断する。すなわち、制御部１１は、判断手段として機能する。
【００２９】
制御部１１は、指定された編集領域が数値項目の表示領域である場合に、当該数値項目に対応する数値データを入力するための入力パッドを表示部１３に表示させ、入力パッドにおいて入力された数値データに基づいて、電子カルテ画面上の表示を変更する。具体的には、制御部１１は、指定された編集領域が各領域データのいずれかに対応する数値項目の表示領域である場合に、当該数値項目に対応する表示設定データに基づいて、当該数値項目に対応する入力パッドを表示部１３に表示させる。すなわち、制御部１１は、表示制御手段として機能する。
【００３０】
次に、電子カルテ作成装置１０における動作について説明する。
図３は、電子カルテ作成装置１０において実行される入力項目設定情報登録処理を示すフローチャートである。この処理は、サービスマンや医師等の操作に基づいて実行される処理であり、制御部１１と記憶部１６に記憶されている入力項目設定情報登録プログラムＰ１との協働によるソフトウェア処理によって実現される。
【００３１】
まず、ユーザーの操作部１２からの操作により、表示部１３に表示された設定ボタンが押下されると（ステップＳ１；ＹＥＳ）、制御部１１により、入力項目設定画面が表示部１３に表示される（ステップＳ２）。
【００３２】
図４に、入力項目設定画面１３１の例を示す。入力項目設定画面１３１は、数値項目表示欄２１、表示設定欄２２を含む。
数値項目表示欄２１には、現状の入力項目設定情報Ｄ１に含まれる数値項目が階層構造で表示される。図４に示す例では、ルートフォルダーＦ１の下位階層に、風邪フォルダーＦ２、心臓フォルダーＦ３が作成されており、数値項目に対応する血圧表示設定データＧ１、体温表示設定データＧ２、ＳｐＯ２表示設定データＧ３が設定されている。また、風邪フォルダーＦ２の下位階層に体温表示設定データＧ４が設定されており、心臓フォルダーＦ３の下位階層に心拍数表示設定データＧ５が設定されている。
【００３３】
表示設定欄２２は、数値項目毎の表示設定データを設定するための領域である。表示設定欄２２には、項目名入力欄２２ａ、定型フォーマット表示欄２２ｂ、フォント指定欄２２ｃ、数値詳細設定領域２２ｄ、数値ボタンＢ１、登録ボタンＢ２が含まれる。
【００３４】
項目名入力欄２２ａは、数値項目の項目名を入力するための領域である。項目名が既に設定されている場合、すなわち、設定対象の数値項目が入力項目設定情報Ｄ１に含まれている場合には、項目名入力欄２２ａに設定済みの項目名が表示される。
【００３５】
定型フォーマット表示欄２２ｂは、表示設定欄２２において設定された表示設定データに基づいて、定型フォーマットが表示される領域である。定型フォーマットは、入力パッド上で数値データを入力する際に表示される文字列・数値の形式を示すものであり、予め設定されたテキスト部分、数値データの挿入位置を示す部分、数値部分の表示方法等を含む。定型フォーマットのテキスト部分については、操作部１２のキーボードから直接入力される。定型フォーマットの数値部分については、数値ボタンＢ１が押下された際に、数値詳細設定領域２２ｄにおいて設定されていた内容に応じて、表示方法が決定される。例えば、図４に示すように、数字が入力されるべき桁数分「Ｘ」が表示される。
【００３６】
フォント指定欄２２ｃでは、定型フォーマットに含まれるテキスト部分や数値部分のフォントの種類、サイズ、太字／斜体／下線、色等を指定することができる。
【００３７】
数値詳細設定領域２２ｄには、小数なし選択ボタン２２ｅ、小数あり選択ボタン２２ｆ、整数桁数入力欄２２ｇ、小数点以下桁数入力欄２２ｈ、数値名入力欄２２ｉが含まれる。
小数なし選択ボタン２２ｅ、小数あり選択ボタン２２ｆは、数値部分の表記において小数の有無を選択するためのボタンである。
整数桁数入力欄２２ｇは、数値部分の整数の桁数を入力するための領域である。
小数点以下桁数入力欄２２ｈは、数値部分の小数点以下の桁数を入力するための領域である。
数値名入力欄２２ｉは、数値項目に含まれる数値データが複数ある場合に、各数値データに対応する数値名を入力するための領域である。例えば、数値項目が「血圧」の場合、数値名として「収縮期」、「拡張期」を設定することができる。数値項目に含まれる数値データが一つの場合には、数値名の入力を省略することができる。
【００３８】
数値ボタンＢ１は、定型フォーマット表示欄２２ｂにおいてカーソルが存在する位置に、数値詳細設定領域２２ｄにおいて設定された条件の数値を設定するためのボタンである。
登録ボタンＢ２は、表示設定欄２２において設定された表示設定データの登録を指示するためのボタンである。
【００３９】
定型フォーマット表示欄２２ｂにおいて、既に設定されているテキスト部分を変更する際には、定型フォーマット表示欄２２ｂのテキスト部分において文字や記号等の入力・削除を行う。
定型フォーマット表示欄２２ｂにおいて、既に設定されている数値部分を変更する際には、定型フォーマット表示欄２２ｂの数値部分をクリックすると、該当する数値項目の現状の設定内容が数値詳細設定領域２２ｄに表示され、数値部分の設定変更が可能となる。
【００４０】
入力項目設定画面において、ユーザーの操作部１２からの操作により、数値項目の新規作成が選択されるか、又は、設定済みの数値項目が選択されると（ステップＳ３）、制御部１１により、新規に作成される数値項目、又は、選択された設定済みの数値項目が処理対象となる。
具体的には、数値項目を新規作成する場合、数値項目を作成する上位のフォルダーにマウスカーソルを合わせ右クリックによりメニューを表示させ、「新規作成」が選択されると、新規に作成される数値項目に対する表示設定欄２２が空欄で表示される。
一方、設定済みの数値項目を選択する場合、数値項目表示欄２１に表示されている数値項目（血圧表示設定データＧ１、体温表示設定データＧ２、ＳｐＯ２表示設定データＧ３、体温表示設定データＧ４、心拍数表示設定データＧ５）の中からいずれかの数値項目が選択されると、選択された数値項目について設定されている内容が表示設定欄２２に表示される。
【００４１】
次に、ユーザーの操作部１２からの操作により、選択された数値項目に対して項目名が入力されると（ステップＳ４）、制御部１１により、入力された項目名がＲＡＭ１５に記憶される。例えば、数値項目「血圧」に対応する表示設定データを設定する際には、項目名入力欄２２ａに「血圧」が入力される。なお、設定済みの数値項目が選択され、項目名を変更しない場合には、項目名の入力は省略される。
【００４２】
次に、テキストが入力される場合には（ステップＳ５；ＹＥＳ）、ユーザーの操作部１２からの操作により、テキストが入力され（ステップＳ６）、制御部１１により、入力されたテキストが定型フォーマット表示欄２２ｂに表示される。
【００４３】
ステップＳ５において、テキストが入力されない場合（ステップＳ５；ＮＯ）、又は、ステップＳ６の後、数値が設定される場合には（ステップＳ７；ＹＥＳ）、ユーザーの操作部１２からの操作により、数値に関する詳細設定が行われる（ステップＳ８）。具体的には、数値詳細設定領域２２ｄにおいて、各種設定が行われ、数値ボタンＢ１が押下されると、制御部１１により、設定された数値の挿入位置及び表示桁数が定型フォーマット表示欄２２ｂに表示される。
【００４４】
ステップＳ７において、数値が設定されない場合（ステップＳ７；ＮＯ）、又は、ステップＳ８の後、制御部１１により、登録ボタンが押下されたか否かが判断される（ステップＳ９）。登録ボタンが押下されない場合には（ステップＳ９；ＮＯ）、ステップＳ５に戻り、処理が繰り返される。
【００４５】
例えば、図４に示す定型フォーマット表示欄２２ｂにおいて、テキストとして「ＢＰ：」が入力され、次に、「ＢＰ：」の後にカーソルを合わせた状態で、一つ目の数値データ（収縮期血圧）の表示方法が設定される。具体的には、小数なし選択ボタン２２ｅが「オン」に設定され、整数桁数入力欄２２ｇに「３」が入力され、数値名入力欄２２ｉに「収縮期」が入力された状態で、数値ボタンＢ１が押下される。次に、テキストとして「／」が入力され、「／」の後にカーソルを合わせた状態で、二つ目の数値データ（拡張期血圧）の表示方法が設定される。具体的には、小数あり選択ボタン２２ｆが「オン」に設定され、整数桁数入力欄２２ｇに「３」が入力され、小数点以下桁数入力欄２２ｈに「２」が入力され、数値名入力欄２２ｉに「拡張期」が入力された状態で、数値ボタンＢ１が押下される。次に、テキストとして「ｍｍＨｇ」が入力される。
【００４６】
ステップＳ９において、登録ボタンが押下された場合には（ステップＳ９；ＹＥＳ）、制御部１１により、設定された数値項目に対して表示設定データが登録される（ステップＳ１０）。具体的には、数値項目が新規に作成された場合には、当該数値項目及び当該数値項目に対応する表示設定データが入力項目設定情報Ｄ１に追加される。一方、設定されていた数値項目について表示設定データが変更された場合には、変更された表示設定データに基づいて、入力項目設定情報Ｄ１が更新される。
以上で、入力項目設定情報登録処理が終了する。
【００４７】
図５は、電子カルテ作成装置１０において実行される電子カルテ作成処理を示すフローチャートである。この処理は、制御部１１と記憶部１６に記憶されている電子カルテ作成プログラムＰ２との協働によるソフトウェア処理によって実現される。
【００４８】
図６に、電子カルテ画面１３２の表示例を示す。電子カルテ画面１３２には、ＳＯＡＰ欄３１、処方・処置欄３２が含まれる。
ＳＯＡＰ欄３１は、ＳＯＡＰの分類項目毎に、患者の診療に関する情報を入力するための領域である。ＳＯＡＰ欄３１には、パッド入力ボタンＢ１１、フリー入力ボタンＢ１２が含まれる。
パッド入力ボタンＢ１１は、カルテ入力モードとして、各数値項目専用の入力パッドを利用するパッド入力モードを選択するためのボタンである。入力パッドから入力された数値データは、現在のカーソル位置に反映される。
フリー入力ボタンＢ１２は、カルテ入力モードとして、電子カルテ画面上でキーボード等から直接編集を行うフリー入力モードを選択するためのボタンである。フリー入力モード時は、ＳＯＡＰ欄３１がクリックされても入力パッドは表示されず、通常の電子カルテの入力及び編集が可能である。入力内容は、現在のカーソル位置に反映される。
処方・処置欄３２は、患者に対する処置・処方を入力するための領域である。
【００４９】
まず、ユーザーの操作部１２からの操作により、表示部１３に表示されている電子カルテ画面上において編集領域を指定するために、カルテ入力欄（ＳＯＡＰ欄３１）がクリックされると（ステップＳ１１；ＹＥＳ）、制御部１１により、クリックされた位置に既に数値データが入力済みか否かが判断される（ステップＳ１２）。具体的には、制御部１１により、クリックされた位置の座標が取得され、この座標と、表示中の電子カルテ画面に対応するカルテ情報Ｄ２に含まれる各数値項目の領域データと、が比較され、クリックされた位置（指定された編集領域）がいずれかの数値項目の表示領域に含まれるか否かが判断される。
【００５０】
クリックされた位置に数値データが入力済みでない場合には（ステップＳ１２；ＮＯ）、制御部１１により、パッド入力モードであるか否かが判断される（ステップＳ１３）。
パッド入力モードである場合には（ステップＳ１３；ＹＥＳ）、制御部１１により、入力項目設定情報Ｄ１に基づいて、入力項目選択画面が表示部１３に表示される（ステップＳ１４）。
【００５１】
図７に、電子カルテ画面１３２上に入力項目選択画面１３３が表示された例を示す。電子カルテ画面１３２においてクリックされた部分にカーソル４１が表示され、入力項目選択画面１３３とカーソル４１との間が線４２で結ばれる。各数値項目専用の入力パッドによって入力される内容は、カーソル４１の位置に挿入される。なお、入力項目選択画面１３３は、入力部分と重ならないように、ＳＯＡＰ欄３１の外部に表示される。
【００５２】
入力項目選択画面１３３の階層表示欄４３には、現在の階層（初期設定ではルート）が表示される。また、入力項目選択画面１３３には、現在の階層に含まれるフォルダー（風邪フォルダーＦ２、心臓フォルダーＦ３）及び数値項目（数値項目ボタンＢ２１，Ｂ２２，Ｂ２３）が表示される。
入力項目選択画面１３３において、いずれかのフォルダーがクリックされると、このフォルダーの下位階層のフォルダー及び数値項目が表示される。より上位の階層が存在する場合には、「上へ」フォルダーが表示され、上位の階層に戻ることが可能となっている。
入力項目選択画面１３３では、入力項目選択画面１３３内に表示されている数値項目ボタンをドッラグ＆ドロップすることで、数値項目ボタンの配置を変更することができる。また、ドラッグ＆ドロップにより数値項目ボタンをフォルダー上に持っていくと、数値項目ボタンをフォルダー内に移動させることができる。
【００５３】
また、入力項目選択画面１３３には、チェックボックスＣ１，Ｃ２が含まれる。チェックボックスＣ１にチェックが入っている場合には、入力パッドを用いて数値データが入力された後、電子カルテ画面１３２上で自動で改行される。チェックボックスＣ２にチェックが入っている場合には、入力パッドを用いて数値データが入力された後、自動で入力項目選択画面１３３が閉じられる。
【００５４】
入力項目選択画面において、ユーザーの操作部１２からの操作により、数値項目が選択されると（ステップＳ１５）、制御部１１により、選択された数値項目に対応する入力パッドが表示部１３に表示される（ステップＳ１６）。具体的には、制御部１１により、選択された数値項目に対応する表示設定データが入力項目設定情報Ｄ１から取得され、当該取得された表示設定データに基づいて、数値項目の入力パッドが表示される。
【００５５】
例えば、図７に示す入力項目選択画面１３３において数値項目「血圧」を示す数値項目ボタンＢ２１が押下されると、図８に示すように、血圧入力専用の入力パッド２００Ａが表示部１３に表示される。
【００５６】
入力パッド２００Ａには、入力内容表示欄２０１、フォント指定欄２０２、数値入力ボタン２０３、バックスペースボタン２０４、エンターボタン２０５、再ボタン２０６、色選択ボタン２０７、数値名ボタン２０８，２０９が含まれる。
【００５７】
入力内容表示欄２０１には、選択された数値項目に対応する表示設定データに基づいて、定型フォーマットが表示される。具体的には、入力内容表示欄２０１には、数値入力前は、項目名（ＢＰ）、単位（ｍｍＨｇ）、「：」、「／」等のテキスト部分と、数値挿入位置（図８に示す第１数値部５１、第２数値部５２等）と、が示される。数値部分は、数値入力前は、空欄で表示されてもよいし、「Ｘ」や「＊」等で数字が入力される桁数が示されてもよい。数値入力後は、入力内容表示欄２０１の数値挿入位置に数値が挿入された状態で表示される。
入力パッド２００Ａの表示時は、入力内容表示欄２０１の数値部分（数値部分が複数存在する場合には、先頭の数値部分）にフォーカスが自動で設定される。その状態で数値入力ボタン２０３又は操作部１２のキーボード等から数値入力が可能である。
また、入力内容表示欄２０１において、文字や記号を直接入力・削除することにより、テキスト部分を修正することができる。また、入力内容表示欄２０１において、数値部分をクリックすると、クリックした部分の数値がフォーカスされる。
【００５８】
フォント指定欄２０２は、入力内容表示欄２０１に表示されているテキスト部分や数値部分のフォントの種類、サイズ、太字／斜体／下線、色等を指定することができる。
【００５９】
数値入力ボタン２０３は、数値データを入力する際に用いられる。設定桁数を入力し終わると、入力内容表示欄２０１において、自動で次の数値部分にフォーカスが移動する。また、通常、小数点を入力する必要はなく、予め設定されている桁数分、小数点以下の数字も連続して入力可能である。ただし、整数部分において設定桁数より少ない数字を入力した後で小数点を入力した場合には、入力された小数点位置に従って、小数点以下の入力に移る。全桁数の数字を入力することにより、数値部分の入力が自動で確定する。なお、数値データを途中まで入力した後、エンターボタン２０５を押下することでも数値データの入力が確定する。
【００６０】
バックスペースボタン２０４は、カーソルの直前の文字や数字を削除する際に用いられる。
エンターボタン２０５は、入力内容を確定させるためのボタンである。
再ボタン２０６が押下されると、対象となっている数値項目について数値データが上書きされるのではなく、電子カルテ画面１３２において入力済みの同項目の数値データの次の行に自動で新しい数値データの入力内容が挿入される。入力済みの同項目の数値データが存在しない場合には、通常どおり、現在のカーソル位置に数値データの入力内容が挿入される。
色選択ボタン２０７は、入力内容表示欄２０１において、フォーカスされている数値部分の色の変更を指示するためのボタンである。
【００６１】
数値名ボタン２０８，２０９は、入力項目設定画面１３１において、数値データに名称（収縮期、拡張期等）を設定した場合に表示される。数値名ボタン２０８，２０９が押下されると、入力内容表示欄２０１において、フォーカスが該当する数値部分へ移動する。例えば、数値名ボタン２０９が押下されると、入力内容表示欄２０１において、第２数値部５２にフォーカスが移動する。
【００６２】
図９は、体温入力専用の入力パッド２００Ｂの例であり、図１０は、ＳｐＯ２入力専用の入力パッド２００Ｃの例である。なお、図８では、入力パッド２００Ａが電子カルテ画面１３２及び入力項目選択画面１３３の上に表示されている場合を図示したが、図９及び図１０においては、入力パッド２００Ｂ，２００Ｃ部分のみを示している。入力パッド２００Ｂ，２００Ｃの構成及び操作方法は入力パッド２００Ａと略同様であるため、同一の構成部分については同一の符号を付し、説明を省略する。ただし、入力パッド２００Ｂ及び入力パッド２００Ｃは、一つの入力パッドにおいて入力される数値データが一つであるため、数値名ボタンは不要である。
【００６３】
ステップＳ１２において、クリックされた位置に既に数値データが入力済みである場合（ステップＳ１２；ＹＥＳ）、すなわち、指定された編集領域がいずれかの数値項目の表示領域に含まれる場合には、制御部１１により、入力されている数値データに対応する数値項目の入力パッドが表示部１３に表示される（ステップＳ１７）。具体的には、制御部１１により、クリックされた位置が含まれる領域データに対応する数値項目の表示設定データがカルテ情報Ｄ２から取得され、当該取得された表示設定データに基づいて、数値項目の入力パッドが表示される。
【００６４】
例えば、図１１に示す電子カルテ画面１３２では、ＳＯＡＰ欄３１の分類項目Ｏに血圧の計測結果が既に入力されている。この状態で、血圧表示領域６１がクリックされると、図１２に示すように、血圧入力専用の入力パッド２００Ａが表示部１３に表示され、入力パッド２００Ａと血圧表示領域６１との間が線６３で結ばれる。入力パッド２００Ａについては、図８を参照して既に説明したので、説明を省略する。この時、入力パッド２００Ａの入力内容表示欄２０１には、電子カルテ画面１３２において表示されている血圧の値が反映されるとともに、第１数値部５１がフォーカスされる。
【００６５】
ステップＳ１６又はステップＳ１７の後、ユーザーの操作部１２からの操作により、入力パッドにおいて、数値データが入力されると（ステップＳ１８）、制御部１１により、入力されたデータが表示部１３に表示されている電子カルテ画面に反映される（ステップＳ１９）。具体的には、制御部１１により、入力された数値データが、予め設定されているテキスト部分（数値項目の項目名、単位等）とともに、電子カルテ画面上の指定位置に挿入される。電子カルテ画面上の数値項目の表示領域がクリックされて、数値データが編集された場合には、制御部１１により、電子カルテ画面上に元々表示されていた内容に代えて、新たに入力された内容が表示される。
【００６６】
次に、制御部１１により、該当する分類項目・数値項目に対して、数値データ、表示設定データ、領域データが保存される（ステップＳ２０）。具体的には、制御部１１により、ステップＳ１８において入力された数値データと、ステップＳ１６又はステップＳ１７において入力パッドを表示させる際に用いた表示設定データと、電子カルテ画面上の数値項目に対応する領域データと、が対応付けられて、対象患者の対象日付のカルテ情報Ｄ２のクリック位置に応じた分類項目内に保存される。数値項目の表示領域がクリックされて、数値データが編集された場合には、制御部１１により、記憶部１６に記憶されているカルテ情報Ｄ２の内容が、新たに入力された内容に置き換えられる。
【００６７】
ステップＳ１３において、パッド入力モードでない場合（ステップＳ１３；ＮＯ）、すなわち、フリー入力モードである場合、ユーザーの操作部１２からの操作により、テキストデータが入力され（ステップＳ２１）、制御部１１により、入力されたテキストデータが表示部１３に表示されている電子カルテ画面に反映される（ステップＳ２２）。
例えば、図１１に示す電子カルテ画面１３２の領域６２には、フリー入力ボタンＢ１２が押下された状態で入力されたテキストデータが表示されている。
そして、制御部１１により、対象患者の対象日付のカルテ情報Ｄ２の該当する分類項目内に、テキストデータが保存される（ステップＳ２３）。
ステップＳ２０又はステップＳ２３の後、電子カルテ作成処理が終了する。
【００６８】
以上説明したように、本実施の形態によれば、電子カルテ画面上で指定された編集領域が数値項目の表示領域である場合に、当該数値項目に対応する数値データを入力するための入力パッドが表示部１３に表示されるので、数値データを電子カルテに入力した後の数値データの編集作業における入力効率を向上させることができる。
【００６９】
具体的には、数値項目毎に、当該数値項目に対応する数値データ、当該数値項目に対応する入力パッドを表示させるための表示設定データ、電子カルテ画面上の当該数値項目の表示領域を示す領域データを記憶しておくことにより、電子カルテ画面上で数値データを編集する際にも入力パッドを利用することができる。
【００７０】
また、数値項目毎に、当該数値項目に対応する表示設定データを登録することができるので、ユーザー自身で数値項目毎に入力パッドを設定又はカスタマイズすることができる。
【００７１】
なお、上記実施の形態における記述は、本発明に係る電子カルテ作成装置の例であり、これに限定されるものではない。装置を構成する各部の細部構成及び細部動作に関しても本発明の趣旨を逸脱することのない範囲で適宜変更可能である。
【００７２】
例えば、入力項目設定情報Ｄ１、カルテ情報Ｄ２の保存場所については、電子カルテを作成する電子カルテ作成装置１０の内部に限定されるものではなく、電子カルテ作成装置１０の外部に設けられたサーバー装置やクラウドサーバー上であってもよい。
【００７３】
以上の説明では、各処理を実行するためのプログラムを格納したコンピューター読み取り可能な媒体としてＨＤＤや不揮発性メモリーを使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００７４】
１０  電子カルテ作成装置
１１  制御部
１２  操作部
１３  表示部
１６  記憶部
２１  数値項目表示欄
２２  表示設定欄
３１  ＳＯＡＰ欄
３２  処方・処置欄
１３１  入力項目設定画面
１３２  電子カルテ画面
１３３  入力項目選択画面
２００Ａ  入力パッド
２００Ｂ  入力パッド
２００Ｃ  入力パッド
Ｄ１  入力項目設定情報
Ｄ２  カルテ情報
Ｐ１  入力項目設定情報登録プログラム
Ｐ２  電子カルテ作成プログラム
【図１】
2016218646.tif 000003
【図２】
2016218646.tif 000004
【図３】
2016218646.tif 000005
【図４】
2016218646.tif 000006
【図５】
2016218646.tif 000007
【図６】
2016218646.tif 000008
【図７】
2016218646.tif 000009
【図８】
2016218646.tif 000010
【図９】
2016218646.tif 000011
【図１０】
2016218646.tif 000012
【図１１】
2016218646.tif 000013
【図１２】
2016218646.tif 000014